(57)【要約】【課題】漕ぐときに横ブレしないパドルを提供する。【解決手段】シャフト２と、その先端に取り付けた板状のブレード１からなるパドルＰである。ブレード１の水かき面１１の中央に、シャフト２の延長方向に稜線１２を形成する。シャフト２の延長方向を横断する方向の断面図としては、この稜線１２を最高点として、両側を低く形成する。【選択図】図１
2010215012.tif 000002
【特許請求の範囲】
【請求項１】
サーフボードを漕ぐために使用するものであり、
シャフトと、その先端に取り付けた板状のブレードからなるパドルであって、
ブレードの水かき面の中央に、シャフトの延長方向に稜線を形成し、
シャフトの延長方向を横断する方向の断面図としては、この稜線を最高点として、両側を低く形成した、
パドルの形状。
【請求項２】
シャフトの中心軸線に対して、
先端に取り付けたブレードの面は、軸線の延長上になく、一定の角度で傾斜して交わっており、
かつこの傾斜は、パドルの使用時に、サーフボードの前進方向に向けて傾斜しているものである、
パドルの形状。
【発明の詳細な説明】
【技術分野】
【０００１】
本発明は、サーフボードの上に立って、パドルで漕ぐタイプの、いわゆるスタンドアップパドルボーディング（登録商標）で使用するパドルに関するものである。
【背景技術】
【０００２】
ボートのオールのように、回転の支点が舷側に確保されているタイプではなく、カヌーのパドルように、長いシャフトの２点を握って水をかくタイプのパドルでは、各種の形状が提案されている。
【先行技術文献】
【特許文献】
【０００３】
【特許文献１】特開平１１−４９０９４号公報。
【特許文献２】特開２００８−１８９１１５号公報。
【発明の概要】
【発明が解決しようとする課題】
【０００４】
前記したような従来のパドルは、カヌーで使用するものであって、シャフトの両端のブレードを使用するから、シャフトを握った始点から、パドル先端までの距離が比較的短い。
しかし図４に示すようなサーフボードＳの上に立って漕ぐスタンドアップパドルボーディング（登録商標）にあっては、先端のブレード１を含めたシャフト２の全長は身長＋２０ｃｍが適当といわれているように、支点となる軸手Ｌから、ブレード１の先端までの距離が大幅に増加する。
そのために次のような問題がある。
＜１＞  このタイプのパドルは、両手を同時に操作して漕ぐのではなく、支点となる軸手Ｌは腰のあたりに固定しておき、上端のハンドルを握った漕ぎ手Ｒを、顔の正面から繰り出すようにして操作するものである。
＜２＞  その際に、立った姿勢であるから、前記したように漕ぎ手Ｒとブレード１の先端までの距離が長い。そのために、漕ぎ手Ｒを直線状に繰り出すつもりであっても、ブレード１は水の抵抗で直線上を真後ろに進みがたく、図６に示すように小さな左右方向のブレを生じる。
＜３＞  その理由は、従来のブレードａでは、後退するブレードａが傾くからである。漕ぎ手Ｒを顔から前方に直線上を直進させているつもりでも、手首やひじ、肩の関節に柔軟性があるから、そこから最も遠距離にあるブレードａは正確な平行移動を行わず、図６のようにわずかに傾斜して後退する。
＜４＞  例えばブレードａがわずかにでも右側に傾斜していれば、水の抵抗によってブレードａは左に押し出される。すぐに手首で修正して左にもどせば、今度はブレードａは右に押し出される。従来のブレードａでは、このような修正を無意識に行いつつ、水を後方にかいてサーフボードを前進させるものであった。
＜５＞  しかし、長い時間、楽に操作するという観点から見ると、長さの長いパドルであっても、先端のブレードの左右方向への無駄なブレを最小限に抑制し、できるだけ正確な直線上を移動させるべきである。
【課題を解決するための手段】
【０００５】
上記のような課題を解決するために、本発明のパドルの形状は、サーフボードを漕ぐために使用するものであり、シャフトと、その先端に取り付けた板状のブレードからなるパドルであって、ブレードの水かき面の中央に、シャフトの延長方向に稜線を形成し、シャフトの延長方向を横断する方向の断面図としては、この稜線を最高点として、両側を低く形成したことを特徴としたものである。
【発明の効果】
【０００６】
本発明のパドルの形状は以上説明したようになるから次のような効果を得ることができる。
＜１＞  ブレードの水かき面の中心に稜線が突出しているから、水はその両側に流れを形成する。その流れが、ブレードを中心に戻す作用を行い、ブレードの多少の傾きは流れの抵抗で自動修正される。
＜２＞  そのために、手首やひじでの修正を行わずとも、ブレードは自動的に直線上を移動することになり、横断方向の無駄なブレが発生せず、漕ぐ力をすべてスタンディングボードの前進に利用することができる。
＜３＞  したがって、初心者であっても本発明のパドルを使用すれば、体力の浪費を抑えて長い時間にわたって、楽にスタンドアップパドルボーディング（登録商標）を楽しむことができる。
【図面の簡単な説明】
【０００７】
【図１】本発明のパドルの形状の実施例の斜視図。
【図２】パドルの形状の平面図。
【図３】パドルの形状の断面図。
【図４】パドルを操作する状態の説明図。
【図５】本発明のパドルのブレードと水の流れの説明図。
【図６】従来のパドルのブレードと水の流れの説明図。
【発明を実施するための形態】
【０００８】
以下図面を参照にしながら本発明の好適な実施の形態を詳細に説明する。
【実施例】
【０００９】
＜１＞用途。
本発明は、図４に示すように、サーフボードＳの上に立って、パドルＰで漕ぐタイプの、いわゆるスタンドアップパドルボーディング（登録商標）で使用するパドルＰに関するものである。
このタイプのパドルＰは、前記したように立ち姿勢で漕ぐものであって、かつブレード１はシャフト２の片側にしかついていないために、パドルＰを往復させて漕ぐ際の支点となる「軸手」から先端のブレード１までの距離が非常に長い、という問題があった。
【００１０】
＜２＞全体の構成。
本発明のパドルＰは、長い棒体であるシャフト２と、その先端に取り付けた板体であるブレード１から構成する。
シャフト２の他端には、シャフト２の中心軸と直交したＴ字状に、ハンドル３を取り付けてある。
操作するには、シャフト２を立ててその上端のハンドル３を、通常は右手を漕ぎ手Ｒとして順手で握り、シャフト２の中間を軸手Ｌとして左手で握る。
そして、前記したように軸手Ｌの位置を腰の付近に固定し、漕ぎ手Ｒを顔の前方に押し出して、板体であるブレード１によって水を後方に押しやり、サーフボードを前方に移動させる。
この軸手Ｌと漕ぎ手Ｒとは適宜に交代して行う。
【００１１】
＜３＞水かき面。
ブレード１とシャフト２は、一直線上に固定してあるものではなく、シャフト２の中心軸線に対して、先端に取り付けたブレード１の面は、軸線と一定の角度で傾斜して交わっている。
この傾斜している方向は、パドルＰをサーフボードＳ上で使用する時に、サーフボードＳが前進する方向である。
通常は、水泳にしてもボートのオールにしても、水をかく受圧面は進行方向とは反対側に向けて傾斜させ、湾曲させるものである。
しかし本願発明のブレード１は進行方向に向けて傾斜させていることを特徴の一つとする。
その結果、傾斜している反対側、スプーンでいえばその裏面を、水かき面１１として構成することになる。
この水かき面１１で、水を後方に押すことになるから、水はその傾斜に沿って下方へも移動して、サーフボードＳの前進の反力となる。
【００１２】
＜４＞稜線。
ブレード１の水かき面１１は、単純な平面ではない。
その中央に、直線状の稜線１２を形成する。
稜線１２を形成する方向は、シャフト２の延長線上の方向である。
ここに稜線１２とは周囲よりも高くなっている意味であるから、ブレード１の断面図、すなわちシャフト２の延長方向を横断する方向の断面図としては、図３に示すように、稜線１２を最高点として、両側を低く形成した形状を呈する。
水かき面１１の反対側の面は、単純な平面でもよく、あるいは水かき面１１と相似形の、中心がくぼんだ形状を付与することもできる。
【００１３】
＜５＞稜線の機能。（図５）
使用時にはサーフボードＳの上に立ってシャフト２を前後方向に操作してブレード１を後方へ送り出す。
するとブレード１の水かき面１１が水を後方へ押し出し、その際の反力で、人体を介してサーフボードＳは前方に前進する。
その場合に、本願発明のブレード１は、水かき面１１の中心位置に稜線１２が形成してある。
そのために、もしブレード１の面が、ブレード１を押し出す方向と直交していない時には図５（ａ）のように、稜線１２を中心にして先行する側に渦などを生じて大きな抵抗が生まれる。
一方、稜線１２よりも後行する側では水の流れはスムーズである。
その結果、抵抗の大きい側が押し戻され、図５（ｂ）に示すように、ブレード１の面が押し出し方向と直交方向に向くように修正される。
ブレード１の面が押し出し方向と直交すると、水が稜線１２をはさんで両側の均等に移動することになり、ブレード１は左右のいずれかへの偏った動きが抑制されてしまい、自動的に中心に戻されることになる。
さらにブレード１は、シャフト２に対してサーフボードの前進方向に傾斜しているから、稜線１２の左右に分かれた水は下方にも押し下げられる。
このような水の動きによってブレード１は、自動的に横ブレを阻止され、スムーズな移動を行うことになる。
【符号の説明】
【００１４】
Ｐ：パドルＰ
１：ブレード
２：シャフト
３：ハンドル
１１：水かき面
１２：稜線
【図１】
2010215012.tif 000003
【図２】
2010215012.tif 000004
【図３】
2010215012.tif 000005
【図４】
2010215012.tif 000006
【図５】
2010215012.tif 000007
【図６】
2010215012.tif 000008